(57)【要約】      （修正有）【課題】取り出しの容易さとコンパクトなサイズを実現したティッシュペーパー用ケース、及び、これに除菌スプレーを内蔵可能としたティッシュペーパー用ケースを提供する。【解決手段】収納部１、蓋部、アジャスター部より成り、収納部１はティッシュペーパー収容空間１１と除菌スプレー収容空間１３を有する。アジャスター部は収納部１の底部に配置され、上下方向に伸縮するバネを備えた押上げ面を有する。ティッシュペーパーは押上げ面上に逆Ｕ字型に懸架されるため、ティッシュペーパー収容空間１１の底面積をティッシュペーパーの面積より小さくすることが可能となり、その分、除菌スプレーを収容する空間１３を併設する余裕ができた。また、ティッシュペーパーは、押上げ面により上方向への圧力を受けるため、残量に関係なく、ティッシュペーパーの上面が常時蓋部の取り出し口に至近する位置に保持される。【選択図】図１
0003220774.tif 000002
【実用新案登録請求の範囲】
【請求項１】
収納部、蓋部、アジャスター部より成るティッシュペーパー用ケースであって、
前記収納部は一定量のティッシュペーパーを内部に載置する箱型をなし、
前記蓋部は前記ティッシュペーパーの取り出し口を具備し、
前記アジャスター部は前記収納部の底部に上下方向に伸縮するバネ機構を備えた押上げ面を有し、
前記収納部の前記押上げ面上に載置された前記ティッシュペーパーは、前記アジャスター部の前記ペーパー押上げ面により常時上方向への圧力を受け、前記ティッシュペーパーの量に関係なく前記ティッシュペーパーの上面が常時前記蓋部の前記取り出し口に至近する位置に保持されることを特徴とするティッシュペーパー用ケース。
【請求項２】
前記ティッシュペーパー用ケースは、家庭内使用サイズのティッシュペーパーを長手方向略中央部で逆Ｕ字型に曲げて前記押上げ面に懸架する構成をなし、前記箱型のペーパー収納部内面の底面積は前記ティッシュペーパーの面積より小さいことを特徴とする請求項１記載のティッシュペーパー用ケース。
【請求項３】
前記ティッシュペーパー用ケースは、除菌スプレーを収容する空間が併設されていることを特徴とする請求項１又は２記載のティッシュペーパー用ケース。
【考案の詳細な説明】
【技術分野】
【０００１】
本考案は、取り出しの容易さとコンパクトなサイズを実現し、除菌スプレーを内蔵可能としたティッシュペーパー用ケースに関する。
【背景技術】
【０００２】
従来のティッシュペーパー用ケースは、箱に入ったティッシュペーパーをそのまま収納するタイプのものがほとんどであって、美感を重視していた。このため、ケースは箱よりも一回り大きくなる。
【０００３】
また、ティッシュペーパーの積層は上下のペーパーの折り目部分を交互に重ねることにより、連続でペーパーを取り出せる構成になっている。
【０００４】
一方、ティッシュペーパーと同時に使用されることが多いものに、卓上用の除菌スプレーがあるが、ティッシュペーパー用ケースと除菌スプレーは卓上に並んで又は離れて配置されることが多い。
【先行技術文献】
【特許文献】
【０００５】
【特許文献１】特開２０１７−５１５７２号
【考案の概要】
【考案が解決しようとする課題】
【０００６】
市販のティッシュペーパー用ケースは、量が減ってくると次第に積層の上面が下がるため、次第に取り出すことが難しくなる。また、ティッシュペーパーを箱ごとケースに入れるものが多いため、ケースのサイズが大きくなり、場所を占めるものが多かった。
【０００７】
さらに、上述したように、同時に使用することが多い除菌スプレーを、大きなティッシュペーパーケースと同じ卓上に置くと、さらにスペースがとられるという問題が有った。
【０００８】
特許文献１には、ティッシュペーパーを取り出しやすくするため、上面を三角屋根形状にしたティッシュボックスケースが開示されているが、上述したケースの大きさの問題と、ティッシュペーパーが減ってきたときの対処はなされていない。
【０００９】
上述の問題に鑑み、本考案においては、取り出しの容易さとコンパクトなサイズを実現したティッシュペーパー用ケース、及び、これに除菌スプレーを内蔵可能としたティッシュペーパー用ケースを提供することを課題とする。
【課題を解決するための手段】
【００１０】
上記課題を解決するために、請求項１のティッシュペーパー用ケースは、収納部、蓋部、アジャスター部より成るティッシュペーパー用ケースであって、前記収納部は一定量のティッシュペーパーを内部に載置する箱型をなし、前記蓋部は前記ティッシュペーパーの取り出し口を具備し、前記アジャスター部は前記収納部の底部に上下方向に伸縮するバネ機構を備えた押上げ面を有し、前記収納部の前記押上げ面上に載置された前記ティッシュペーパーは、前記アジャスター部の前記ペーパー押上げ面により常時上方向への圧力を受け、前記ティッシュペーパーの量に関係なく前記ティッシュペーパーの上面が常時前記蓋部の前記取り出し口に至近する位置に保持されることを特徴とする。
【００１１】
請求項２のティッシュペーパー用ケースは、請求項１記載のティッシュペーパー用ケースであって、家庭内使用サイズのティッシュペーパーを長手方向略中央部で逆Ｕ字型に曲げて前記押上げ面に懸架する構成をなし、前記箱型のペーパー収納部内面の底面積は前記ティッシュペーパーの面積より小さいことを特徴とする。
【００１２】
請求項３のティッシュペーパー用ケースは、請求項１又は２記載のティッシュペーパー用ケースであって、除菌スプレーを収容する空間が併設されていることを特徴とする。
【考案の効果】
【００１３】
収納部の底部に配設されたバネ機構を有する押上げ面により、ティッシュペーパーの積層群が上方向への圧力を受け、ティッシュペーパーの上面が常時取り出し口に至近する位置に保持されるため、ティッシュペーパーは最後の1枚までストレスなく取り出せる。
【００１４】
収納されるティッシュペーパーは長手方向略中央部で逆Ｕ字型に折り曲げられて押上げ面に懸架されるため、従来のティッシュペーパー用ケースに比べて収納部の底面積が小さくなり、配置場所での省スペース性が実現する。
【００１５】
上述の省スペース性が実現したため、従来は卓上に並んで又は離れて配置されていた卓上用の除菌スプレーをティッシュペーパー用ケース内に収納することが可能となった。また、本ケース底部の裏面に、盗難防止の仮固定シートを貼り付ければ、盗難が心配で除菌スプレーを使用することをためらっていた店舗においても除菌スプレー使用が可能となる。これにより、除菌スプレーの置き場所や管理の問題により、やむを得ずダスター等の布巾を使用していた店舗や食堂においても除菌スプレーの配置が容易になり、多くの店舗等で、より衛生的な環境が実現する。
【図面の簡単な説明】
【００１６】
【図１】本実施形態のティッシュペーパー用ケースの収納部の斜視図である。
【図２】同ケースの蓋部の斜視図である。
【図３】同ケースのアジャスター部の（Ａ）平面図、（Ｂ）側面図、（Ｃ）断面図である。
【図４】同ケースの収納部にアジャスター部とラッチを取り付けた後の写真である。
【図５】同ケースにティッシュペーパーと除菌スプレーを配置した後の写真である（蓋部取付け前）。
【図６】同ケースの使用状態を示す写真である。
【考案を実施するための形態】
【００１７】
本実施形態のティッシュペーパー用ケース（以降、「本ケース」という。）について写真及び図を用いて説明する。本ケースは請求項３に記載のティッシュペーパー用ケースであって、除菌スプレー収容空間を有する。
【００１８】
図１乃至３に示すように、本ケースは、ティッシュペーパーと除菌スプレーを収容する収納部１、ラッチによって着脱可能となっている蓋部２、及びティッシュペーパーに上方圧力を加えるアジャスター部３より構成されている。
【００１９】
収納部１は、図１に示すように、ティッシュペーパー収容空間１１と除菌スプレー収容空間１３によって構成されていて、ティッシュペーパー収容空間１１の底部には、アジャスター部３を立設するための設置台１２が配設されている。また、解放された上面には、蓋部２を仮固定するためのラッチ嵌め込み口１５が４箇所設置されている。
【００２０】
図２は蓋部２の斜視図である。図に示すように、蓋部２の上面には、円形のティッシュペーパー取り出し口２１と、同じく円形の除菌スプレー突出口２２が配設されている。蓋部２の収納部１に対する着脱は、プッシュラッチ方式による。すなわち、着設に際しては、固定足２５を収納部解放面に嵌入することにより、蓋部裏面４箇所に配設された突起２３が収納部上面に設置されたラッチによりロックされる。また、脱離に際しては、蓋部表面４箇所に配設された窪み２４をプッシュすることにより、ラッチが解除する。
【００２１】
図３は、アジャスター部３の（Ａ）平面図、（Ｂ）側面図、（Ｃ）断面図である。図に示すように、アジャスター部３は縦長の直方体形状を呈し、ケース３２内の２箇所にガイドポール３４を有し、ガイドポール３４にバネ３３が周設されている。アジャスター部３はティッシュペーパー収容空間１１の底部を２分する形で配設された設置台１２（図１）に被着され、バネ３３の伸縮により上下に摺動する。具体的な構成としては、ガイドポール３４の下端が設置台１２のガイドポール受入孔１２１に嵌入され、引き抜きが生じないようにビス止めされている。機能的には、ケース３２の頂部に形成されたティッシュペーパー押上げ面３１がティッシュペーパーの積層の下面を支え、枚数の減少に応じてティッシュペーパーを上方向に押し上げる。図４は、収納部１にアジャスター部とラッチ１４をセットし、ティッシュペーパーと除菌スプレーを載置する前の状態を示す写真である。
【００２２】
図５は、ティッシュペーパー４と除菌スプレーを収納部１に配置した後の写真である。また、図６は、これに蓋部２を取り付け、使用状態にした写真である。  ティッシュペーパー４はアジャスター部３のティッシュペーパー押上げ面３１上に逆Ｕ字型に懸架されるため、ティッシュペーパー４を曲げずに載置したときよりも専有面積が小さく、その分、除菌スプレー収容空間１３を併設することが可能となった。さらに、前述したように、ティッシュペーパーの積層下面には、常時バネの上方圧力が加えられるため、ティッシュペーパーの積層上面は、ティッシュペーパー４の残量に関係なく、蓋部２の取り出し口２１に至近する位置に保持される。
【符号の説明】
【００２３】
１      収納部
１１    ティッシュペーパー収容空間
１２    設置台
１２１  ガイドポール受入孔
１３    除菌スプレー収容空間
１４    ラッチ
１５    ラッチ嵌め込み口
１６    仕切り
２      蓋部
２１    ティッシュペーパー取り出し口
２２    除菌スプレー突出口
２３    突起
２４    ラッチ解除用窪み
２５    固定足
３      アジャスター部
３１    ティッシュペーパー押上げ面
３２    バネ内臓ケース
３３    バネ
３４    ガイドポール
４      ティッシュペーパー
５      除菌スプレー
【図１】
0003220774.tif 000003
【図２】
0003220774.tif 000004
【図３】
0003220774.tif 000005
【図４】
0003220774.tif 000006
【図５】
0003220774.tif 000007
【図６】
0003220774.tif 000008
【手続補正書】
【提出日】平成31年1月30日(2019.1.30)
【手続補正１】
【補正対象書類名】実用新案登録請求の範囲
【補正対象項目名】請求項１
【補正方法】変更
【補正の内容】
【請求項１】
収納部、蓋部、アジャスター部より成るティッシュペーパー用ケースであって、
前記収納部は一定量のティッシュペーパーを内部に載置する箱型をなし、
前記蓋部は前記ティッシュペーパーの取り出し口を具備し、
前記アジャスター部は前記収納部の底部に上下方向に伸縮するバネ機構を備えた押上げ面を有し、
前記収納部の前記押上げ面上に載置された前記ティッシュペーパーは、前記アジャスター部の前記押上げ面により常時上方向への圧力を受け、前記ティッシュペーパーの量に関係なく前記ティッシュペーパーの上面が常時前記蓋部の前記取り出し口に至近する位置に保持されることを特徴とするティッシュペーパー用ケース。